(57)【要約】【課題】円筒状の発熱体の中空部に軸芯部材を配置して内側流路を形成する場合にも、内側流路に隙間が発生することを抑制した熱交換率の高い瞬間式熱交換器及び衛生洗浄装置を提供する。【解決手段】水を加熱して温水とする瞬間式熱交換器であって、中空部を有する円筒状の発熱体と、前記発熱体の外周を覆い、前記発熱体の外周面との間に外側流路を形成するケースと、前記発熱体の前記中空部に設けられ、前記発熱体の内周面との間に内側流路を形成する軸芯部材と、を備え、前記軸芯部材は、前記ケースによって位置決めされることなく、前記発熱体に対して位置決めされることを特徴とする瞬間式熱交換器である。【選択図】図１
2020118349.tif 000002
【特許請求の範囲】
【請求項１】
水を加熱して温水とする瞬間式熱交換器であって、
中空部を有する円筒状の発熱体と、
前記発熱体の外周を覆い、前記発熱体の外周面との間に外側流路を形成するケースと、
前記発熱体の前記中空部に設けられ、前記発熱体の内周面との間に内側流路を形成する軸芯部材と、
を備え、
前記軸芯部材は、前記ケースによって位置決めされることなく、前記発熱体に対して位置決めされることを特徴とする瞬間式熱交換器。
【請求項２】
前記軸芯部材は、前記ケースと別体で形成されており、前記ケースに対して固定されていないことを特徴とする請求項１記載の瞬間式熱交換器。
【請求項３】
前記軸芯部材と前記発熱体の内周面との間の隙間はコイルバネによって埋められ、
前記軸芯部材は、前記コイルバネによって前記発熱体に対して位置決めされることを特徴とする請求項１又は２に記載の瞬間式熱交換器。
【請求項４】
前記軸芯部材の一端は、前記ケースから離れて配置され、
前記コイルバネは、前記軸芯部材の前記一端に設けられた係合部と係合することにより、前記内側流路を流れる水による前記軸芯部材の移動を抑制することを特徴とする請求項３記載の瞬間式熱交換器。
【請求項５】
前記ケースは、前記軸芯部材の一端と当接することにより、前記内側流路を流れる水による前記軸芯部材の移動を抑制する当接部を有することを特徴とする請求項１〜３のいずれか１つに記載の瞬間式熱交換器。
【請求項６】
前記コイルバネの一端は、内周方向に延出し、
前記コイルバネの他端は、外周方向に延出していることを特徴とする請求項３又は４に記載の瞬間式熱交換器。
【請求項７】
請求項１〜６のいずれか１つに記載の瞬間式熱交換器と、
前記瞬間式熱交換器により生成した温水を使用者の局部に向けて吐出するノズルと、
を備えたことを特徴とする衛生洗浄装置。
【発明の詳細な説明】
【技術分野】
【０００１】
本発明の態様は、瞬間式熱交換器及び衛生洗浄装置に関する。
【背景技術】
【０００２】
腰掛け式の大便器に取り付けられ、使用者のおしりなどの局部を洗浄する衛生洗浄装置が知られている。こうした衛生洗浄装置では、高さを低く抑えた低シルエットデザインが求められており、衛生洗浄装置を構成する各ユニットの小型化が必要となっている。
【０００３】
瞬間式熱交換器において発熱体の小型化を行うと、熱伝達面積が小さくなってしまう。このため、小型化を行う前の状態と同じ加熱量を得るためには、発熱体の表面温度を上昇させなければならず、発熱体表面にスケールの発生するリスクが高まってしまう。このため、温水を所望温度にしつつ、ヒータの表面温度を下げるためには、熱交換効率を上げる必要がある。
【０００４】
熱交換率を上げる方法として、発熱体に接する水の流速を速くするために、円筒状の発熱体の外側流路と内側流路とを螺旋状に構成することが考えられる。例えば、特許文献１には、円筒状の発熱体の内側流路を螺旋状に構成するために、円筒状の発熱体の中空部に、螺旋状の突出部を有する軸芯部材と、円筒状の発熱体の内周面と軸芯部材との隙間を埋める可撓性部材（バネ）と、を備えた瞬間式熱交換器が開示されている。
【先行技術文献】
【特許文献】
【０００５】
【特許文献１】特開２０１７−１８０９１３号公報
【発明の概要】
【発明が解決しようとする課題】
【０００６】
しかしながら、特許文献１の瞬間式熱交換器では、軸芯部材が蓋体を介してケースと一体的に形成されている。この蓋体は、ケースに対してパッキンを介して組み立てられるため、ケースに対する位置がばらつく恐れがある。このように、蓋体の位置がばらつくと、軸芯部材の位置もばらつくこととなり、軸芯部材が円筒状の発熱体の中空部の中央に配置されない恐れがある。
【０００７】
軸芯部材が円筒状の発熱体の中空部の中央からずれた場合、すなわち、軸芯部材が円筒状の発熱体の中空部に対して偏芯して配置された場合、軸芯部材及び可撓性部材と円筒状の発熱体の内周面との間に隙間が発生する恐れがある。このような隙間が発生すると、内側流路をショートカットするように水が流れてしまい、熱交換効率が低下し、スケールの発生リスクが高まってしまう。
【０００８】
本発明は、かかる課題の認識に基づいてなされたものであり、円筒状の発熱体の中空部に軸芯部材を配置して内側流路を形成する場合にも、内側流路に隙間が発生することを抑制した熱交換率の高い瞬間式熱交換器及び衛生洗浄装置を提供することを目的とする。
【課題を解決するための手段】
【０００９】
第１の発明は、水を加熱して温水とする瞬間式熱交換器であって、中空部を有する円筒状の発熱体と、前記発熱体の外周を覆い、前記発熱体の外周面との間に外側流路を形成するケースと、前記発熱体の前記中空部に設けられ、前記発熱体の内周面との間に内側流路を形成する軸芯部材と、を備え、前記軸芯部材は、前記ケースによって位置決めされることなく、前記発熱体に対して位置決めされることを特徴とする瞬間式熱交換器である。
【００１０】
この瞬間式熱交換器によれば、軸芯部材をケースによって位置決めされないようにしたため、ケースの組み立てばらつきによって、軸芯部材が円筒状の発熱体の中空部に対して偏芯して配置されてしまうことを抑制することができる。従って、円筒状の発熱体の中空部に軸芯部材を配置して内側流路を形成する場合にも、内側流路に隙間が発生することを抑制し、熱交換率の高い瞬間式熱交換器を提供することができる。
【００１１】
第２の発明は、第１の発明において、前記軸芯部材は、前記ケースと別体で形成されており、前記ケースに対して固定されていないことを特徴とする瞬間式熱交換器である。
【００１２】
この瞬間式熱交換器によれば、軸芯部材がケースと別体で形成されているため、軸芯部材をケースによって位置決めされないようにし易くすることができる。
【００１３】
第３の発明は、第１又は第２の発明において、前記軸芯部材と前記発熱体の内周面との間の隙間はコイルバネによって埋められ、前記軸芯部材は、前記コイルバネによって前記発熱体に対して位置決めされることを特徴とする瞬間式熱交換器である。
【００１４】
この瞬間式熱交換器によれば、コイルバネの力を利用して軸芯部材を保持することが可能となり、軸芯部材を円筒状の発熱体の中空部の中央に配置しやすくすることができると同時に軸芯部材と発熱体内周面の隙間を埋めることができる。
【００１５】
第４の発明は、第３の発明において、前記軸芯部材の一端は、前記ケースから離れて配置され、前記コイルバネは、前記軸芯部材の前記一端に設けられた係合部と係合することにより、前記内側流路を流れる水による前記軸芯部材の移動を抑制することを特徴とする瞬間式熱交換器である。
【００１６】
この瞬間式熱交換器によれば、水圧によって軸芯部材が移動し、内側流路に隙間ができてしまうことを抑制することができる。
【００１７】
第５の発明は、第１〜第３のいずれか１つの発明において、前記ケースは、前記軸芯部材の一端と当接することにより、前記内側流路を流れる水による前記軸芯部材の移動を抑制する当接部を有することを特徴とする瞬間式熱交換器である。
【００１８】
この瞬間式熱交換器によれば、水圧によって軸芯部材が移動し、内側流路に隙間ができてしまうことを抑制することができる。
【００１９】
第６の発明は、第３又は第４の発明において、前記コイルバネの一端は、内周方向に延出し、前記コイルバネの他端は、外周方向に延出していることを特徴とする瞬間式熱交換器である。
【００２０】
この瞬間式熱交換器によれば、発熱体に水を流すための通水部材の発熱体への接続と、コイルバネを発熱体に組み立てる際のコイルバネの保持と、を両立させることができる。
【００２１】
第７の発明は、第１〜第６のいずれか１つの発明の瞬間式熱交換器と、前記瞬間式熱交換器により生成した温水を使用者の局部に向けて吐出するノズルと、を備えたことを特徴とする衛生洗浄装置である。
【００２２】
この衛生洗浄装置によれば、軸芯部材をケースによって位置決めされないようにしたため、ケースの組み立てばらつきによって、軸芯部材が円筒状の発熱体の中空部に対して偏芯して配置されてしまうことを抑制することができる。従って、円筒状の発熱体の中空部に軸芯部材を配置して内側流路を形成する場合にも、内側流路に隙間が発生することを抑制し、熱交換率の高い衛生洗浄装置を提供することができる。
【発明の効果】
【００２３】
本発明の態様によれば、円筒状の発熱体の中空部に軸芯部材を配置して内側流路を形成する場合にも、内側流路に隙間が発生することを抑制した熱交換率の高い瞬間式熱交換器及び衛生洗浄装置が提供される。
【図面の簡単な説明】
【００２４】
【図１】第１の実施形態に係る瞬間式熱交換器を模式的に表す断面図である。
【図２】第１の実施形態に係る瞬間式熱交換器の一部を模式的に表す拡大断面図である。
【図３】第１の実施形態に係る瞬間式熱交換器の一部を模式的に表す拡大断面図である。
【図４】第１の実施形態に係るコイルバネを模式的に表す斜視図である。
【図５】第１の実施形態に係る発熱体及びコイルバネの一部を模式的に表す断面図である。
【図６】図６（ａ）及び図６（ｂ）は、第１の実施形態に係る軸芯部材及びコイルバネの一部を模式的に表す斜視図及び断面図である。
【図７】第１の実施形態に係る瞬間式熱交換器の変形例を模式的に表す断面図である。
【図８】第２の実施形態に係るトイレ装置を模式的に表す斜視図である。
【図９】第２の実施形態に係る衛生洗浄装置を模式的に表すブロック図である。
【発明を実施するための形態】
【００２５】
以下、添付図面を参照しながら本発明の実施の形態について説明する。理解を容易にするため、各図面において同一の構成要素に対しては可能な限り同一の符号を付し、重複する説明は省略する。
【００２６】
（第１の実施形態）  
図１は、第１の実施形態に係る瞬間式熱交換器を模式的に表す断面図である。  
本実施形態に係る瞬間式熱交換器１０（以下、熱交換器１０と称す）は、水を温めて温水とするものであり、例えば腰掛け式の大便器等に設置されて人体の局部を洗浄する衛生洗浄装置に備えられ、洗浄水を温水とするために用いられる。
【００２７】
図１に表したように、熱交換器１０は、発熱体１２と、ケース１４と、軸芯部材１６と、コイルバネ１８と、を備える。
【００２８】
発熱体１２は、中空部１２ａを有する円筒状である。発熱体１２は、換言すれば、円筒状のヒータである。なお、発熱体１２は、完全な円筒である必要は無く、厚さの変化する部分などを有してもよい。発熱体１２の断面形状は、完全な円形である必要は無く、一部に楕円状の部分や多角形状の部分などを有してもよい。発熱体１２は、概ね円筒状の外形を有していればよい。
【００２９】
発熱体１２は、例えば、円筒状のセラミックスヒータである。発熱体１２は、例えば、発熱体１２の外周面１２ｂを形成する外側部分と、発熱体１２の内周面１２ｃを形成する内側部分と、内側部分と外側部分との間に設けられたヒータ部と、を有する。内側部分及び外側部分は、セラミックスによって成形されている。ヒータ部は、例えば、タングステン等からなる帯状のヒーターパターンを、絶縁性のフィルムで挟んだフィルム状である。これにより、発熱体１２では、外周面１２ｂ及び内周面１２ｃに接する水を加熱することができる。
【００３０】
ケース１４は、発熱体１２の外周を覆う。ケース１４は、例えば、ケース本体２０と、蓋部２２と、を有する。ケース本体２０は、発熱体１２の外周を覆う。ケース本体２０は、例えば、発熱体１２よりも大きい径を有する円筒状である。ケース本体２０は、発熱体１２を収容する中空部２０ａを有する。発熱体１２は、例えば、円筒状のケース本体２０の中空部２０ａ内に略同軸に配置される。
【００３１】
但し、ケース本体２０の形状は、発熱体１２の外周を覆うことが可能な任意の形状でよい。例えば、ケース本体２０は、発熱体１２を収容可能な円柱状の中空部２０ａを有する直方体状の形状などでもよい。
【００３２】
発熱体１２の一端は、ケース本体２０の一端よりも内側に位置する。換言すれば、発熱体１２の一端は、中空部２０ａ内に位置する。一方、発熱体１２の他端は、ケース本体２０の他端よりも外側に位置する。但し、発熱体１２の他端は、ケース本体２０の他端より内側に位置してもよい。
【００３３】
蓋部２２は、発熱体１２が突出していない側のケース本体２０の一端に設けられ、円筒状のケース本体２０の一端を塞ぐ。蓋部２２は、例えば、ケース本体２０と一体に形成されていてもよい。中空部２０ａは、例えば、一端が塞がれた有底穴状の形状でもよい。ケース１４は、有底穴状の中空部２０ａによって発熱体１２を収容する構成でもよい。
【００３４】
軸芯部材１６は、発熱体１２の中空部１２ａに設けられている。軸芯部材１６は、ケース１４と別体で形成されており、ケース１４に対して固定されていない。軸芯部材１６は、例えば、発熱体１２の軸方向に延びる略円柱状であり、円筒状の発熱体１２の中空部１２ａ内に略同軸に配置される。
【００３５】
また、発熱体１２及び軸芯部材１６の一端は、ケース１４から離れて配置されている。より詳しくは、発熱体１２及び軸芯部材１６の一端は、ケース１４の蓋部２２から離れて配置されている。発熱体１２及び軸芯部材１６の一端と蓋部２２との間の空間は、発熱体１２の内側と外側との間で水を流すための経路となる。
【００３６】
コイルバネ１８は、軸芯部材１６と発熱体１２の内周面１２ｃとの間に設けられる。コイルバネ１８は、例えば、金属製又は樹脂製である。自然長の状態におけるコイルバネ１８の外径は、発熱体１２の内周面１２ｃの内径よりも僅かに大きい。コイルバネ１８は、捻ることで径を僅かに小さくした状態で発熱体１２の中空部１２ａ内に設けられる。これにより、コイルバネ１８は、発熱体１２の内周面１２ｃに当接し、径を戻そうとする自身の弾性力によって発熱体１２の中空部１２ａ内に保持される。
【００３７】
図２は、第１の実施形態に係る瞬間式熱交換器の一部を模式的に表す拡大断面図である。  
図１及び図２に表したように、ケース１４のケース本体２０は、発熱体１２の外周面１２ｂとの間に外側流路３０を形成する。ケース本体２０は、突出部２０ｂを有する。突出部２０ｂは、ケース本体２０の内周面から内側に向かって突出するとともに、ケース本体２０の軸方向に沿って螺旋状に延びる。
【００３８】
熱交換器１０は、コイルバネ２４をさらに備える。コイルバネ２４は、ケース本体２０と発熱体１２の外周面１２ｂとの間に設けられる。コイルバネ２４は、例えば、金属製又は樹脂製である。自然長の状態におけるコイルバネ２４の内径は、発熱体１２の外周面１２ｂの外径よりも僅かに小さい。コイルバネ２４は、捻ることで径を僅かに大きくした状態で発熱体１２の外周面１２ｂに設けられる。これにより、コイルバネ２４は、発熱体１２の外周面１２ｂに当接し、径を戻そうとする自身の弾性力によって発熱体１２の外周面１２ｂに保持される。
【００３９】
ケース本体２０の突出部２０ｂの先端部の部分におけるケース本体２０の内径は、発熱体１２の外周面１２ｂの外径よりも僅かに大きい。このため、ケース本体２０と発熱体１２との間には、僅かに隙間が空く。
【００４０】
コイルバネ２４の素線の太さ（直径）は、ケース本体２０と発熱体１２との間に空く隙間の距離よりも大きい。また、コイルバネ２４のピッチは、螺旋状の突出部２０ｂのピッチと略同一である。これにより、コイルバネ２４は、ケース本体２０と発熱体１２の外周面１２ｂとの間の隙間を塞ぐ。
【００４１】
発熱体１２は、例えば、ケース本体２０（ケース１４）に支持され、円筒状のケース本体２０の中空部２０ａ内に略同軸に配置される。
【００４２】
これにより、ケース本体２０の突出部２０ｂとコイルバネ２４とによって、螺旋状の外側流路３０が形成される。このように、外側流路３０を螺旋状とすることにより、外側流路３０を流れる水と発熱体１２との間の熱交換率を高くすることができる。また、コイルバネ２４を用いて螺旋状の外側流路３０を形成することにより、組立誤差や寸法誤差などの影響をコイルバネ２４によって抑制し、螺旋状の外側流路３０を形成し易くすることができる。
【００４３】
図３は、第１の実施形態に係る瞬間式熱交換器の一部を模式的に表す拡大断面図である。  
図１及び図３に表したように、軸芯部材１６は、発熱体１２の内周面１２ｃとの間に内側流路３２を形成する。軸芯部材１６は、突出部１６ａを有する。突出部１６ａは、軸芯部材１６の外周面から外側に向かって突出するとともに、軸芯部材１６の軸方向に沿って螺旋状に延びる。
【００４４】
軸芯部材１６の突出部１６ａの先端部の部分における軸芯部材１６の外径は、発熱体１２の内周面１２ｃの内径よりも僅かに小さい。このため、軸芯部材１６と発熱体１２との間には、僅かに隙間が空く。
【００４５】
コイルバネ１８の素線の太さ（直径）は、軸芯部材１６と発熱体１２との間に空く隙間の距離よりも大きい。また、コイルバネ１８のピッチは、螺旋状の突出部１６ａのピッチと略同一である。これにより、コイルバネ１８は、軸芯部材１６と発熱体１２の内周面１２ｃとの間の隙間を塞ぐ。
【００４６】
軸芯部材１６は、例えば、発熱体１２及びケース本体２０（ケース１４）に直接的に支持されることなく、コイルバネ１８を介して発熱体１２に支持され、コイルバネ１８を介して円筒状の発熱体１２の中空部１２ａ内に略同軸に配置される。すなわち、軸芯部材１６は、ケース１４によって位置決めされることなく、コイルバネ１８によって位置決めされる。このように、軸芯部材１６と発熱体１２の内周面１２ｃとの間の隙間はコイルバネ１８によって埋められ、軸芯部材１６は、コイルバネ１８によって発熱体１２に対して位置決めされる。
【００４７】
これにより、軸芯部材１６の突出部１６ａとコイルバネ１８とによって、螺旋状の内側流路３２が形成される。このように、内側流路３２を螺旋状とすることにより、内側流路３２を流れる水と発熱体１２との間の熱交換率を高くすることができる。また、コイルバネ１８を用いて螺旋状の内側流路３２を形成することにより、組立誤差や寸法誤差などの影響をコイルバネ１８によって抑制し、螺旋状の内側流路３２を形成し易くすることができる。
【００４８】
図１に表したように、ケース本体２０の他端よりも外側に突出した発熱体１２の他端には、発熱体１２の中空部１２ａに水を流すための通水部材２が接続されている。また、ケース本体２０には、ケース本体２０の中空部２０ａに水を流すための通水口２０ｃが設けられている。通水口２０ｃは、ケース本体２０において、発熱体１２の通水部材２が接続された側の端部と同じ側の端部に設けられている。
【００４９】
熱交換器１０では、例えば、通水部材２から発熱体１２の中空部１２ａ内に水が供給される。中空部１２ａ内に供給された水は、内側流路３２を流れて発熱体１２の反対側の端部に向かう。この際、内側流路３２を流れる水は、発熱体１２の内周面１２ｃに接触することにより、発熱体１２によって加熱される。内側流路３２を流れた水は、ケース本体２０の中空部２０ａのうちの発熱体１２の端部と蓋部２２との間の空間を介して外側流路３０に入り込み、外側流路３０を流れる。外側流路３０を流れる水は、再び発熱体１２の反対側の端部に向かう。この際、外側流路３０を流れる水は、発熱体１２の外周面１２ｂに接触することにより、発熱体１２によって加熱される。そして、外側流路３０を流れた水は、通水口２０ｃを介してケース本体２０（熱交換器１０）の外部に排出される。
【００５０】
これにより、通水部材２を介して熱交換器１０に供給された水が、発熱体１２によって加熱されて温水に置換され、熱交換器１０から温水が排出される。なお、上記と反対に、通水口２０ｃから水を供給し、生成された温水を通水部材２に排出してもよい。
【００５１】
ケース本体２０の他端よりも外側に突出した発熱体１２の他端には、発熱体１２のヒータ部に電力を供給するための給電端子１２ｄが設けられている。このように、給電端子１２ｄは、水と接する側の端部と反対側の端部に設けられる。これにより、給電端子１２ｄの被水が抑制される。
【００５２】
図４は、第１の実施形態に係るコイルバネを模式的に表す斜視図である。  
図４に表したように、コイルバネ１８の一端１８ａは、内周方向に延出している。一方、コイルバネ１８の他端１８ｂは、外周方向に延出している。
【００５３】
前述のように、コイルバネ１８は、捻ることで径を僅かに小さくした状態で発熱体１２の中空部１２ａ内に挿通される。この際、上記のように一端１８ａ及び他端１８ｂを延出させ、一端１８ａ及び他端１８ｂを把持することにより、コイルバネ１８を捻り易くすることができる。すなわち、コイルバネ１８を発熱体１２の中空部１２ａ内に挿通し易くすることができる。
【００５４】
図５は、第１の実施形態に係る発熱体及びコイルバネの一部を模式的に表す断面図である。  
図５に表したように、外周方向に延出したコイルバネ１８の他端１８ｂは、発熱体１２の中空部１２ａ内に挿通した際に、発熱体１２の一端に係合する。これにより、コイルバネ１８の軸方向の位置を決めることができる。
【００５５】
軸芯部材１６及びコイルバネ１８の軸方向の長さは、発熱体１２の軸方向の長さよりも短い（図１参照）。軸芯部材１６及びコイルバネ１８は、発熱体１２の水と接する側の端部（給電端子１２ｄと反対側の端部）に取り付けられる。この際、コイルバネ１８の他端１８ｂを発熱体１２の一端に係合させ、コイルバネ１８の軸方向の位置を決めることにより、通水部材２を挿通するための空間を発熱体１２の反対側の端部に適切に設けることができる。
【００５６】
図６（ａ）及び図６（ｂ）は、第１の実施形態に係る軸芯部材及びコイルバネの一部を模式的に表す斜視図及び断面図である。  
図６（ａ）及び図６（ｂ）に表したように、コイルバネ１８は、軸芯部材１６の一端に設けられた係合部１６ｂと係合する。コイルバネ１８は、例えば、内周方向に延出した一端１８ａによって、軸芯部材１６の係合部１６ｂと係合する。
【００５７】
コイルバネ１８を軸芯部材１６に取り付ける際には、例えば、螺旋状の突出部１６ａをコイルバネ１８と螺合させ、軸芯部材１６を回転させることにより、突出部１６ａ及びコイルバネ１８のピッチに沿って軸芯部材１６をコイルバネ１８内に挿通する。この際、軸芯部材１６は、係合部１６ｂ側をコイルバネ１８の他端１８ｂ側から挿通する。そして、軸芯部材１６を回転させながらコイルバネ１８内を一端１８ａ側に進出させ、係合部１６ｂを一端１８ａに係合させる。これにより、軸芯部材１６の一端がケース１４から離れている場合でも、コイルバネ１８によって軸芯部材１６の位置を決めることができる。
【００５８】
係合部１６ｂは、傾斜面１６ｃを有する。係合部１６ｂは、コイルバネ１８の一端１８ａと係合して傾斜面１６ｃをコイルバネ１８の一端１８ａに当接させることにより、傾斜面１６ｃの傾斜に沿ってコイルバネ１８を一端１８ａから他端１８ｂに向かう方向に押圧する。
【００５９】
これにより、係合部１６ｂは、コイルバネ１８を突出部１６ａに押し付ける。換言すれば、係合部１６ｂは、係合部１６ｂの傾斜面１６ｃと突出部１６ａとでコイルバネ１８の一部を挟み込むことにより、コイルバネ１８を突出部１６ａに押し付ける。これにより、コイルバネ１８を弾性力によって突出部１６ａに密着させ、軸芯部材１６と発熱体１２の内周面１２ｃとの間の隙間をコイルバネ１８によってより適切に塞ぐことができる。
【００６０】
また、コイルバネ１８を弾性力によって突出部１６ａに密着させることにより、軸芯部材１６の軸方向の移動を抑制することができる。このように、コイルバネ１８は、軸芯部材１６の一端に設けられた係合部１６ｂと係合することにより、内側流路３２を流れる水による軸芯部材１６の軸方向の移動を抑制する。
【００６１】
以上、説明したように、本実施形態に係る熱交換器１０によれば、軸芯部材１６をケース１４によって位置決めされないようにしたため、ケース１４の組み立てばらつきによって、軸芯部材１６が円筒状の発熱体１２の中空部１２ａに対して偏芯して配置されてしまうことを抑制することができる。従って、円筒状の発熱体１２の中空部１２ａに軸芯部材１６を配置して内側流路３２を形成する場合にも、内側流路３２に隙間が発生することを抑制し、熱交換率の高い熱交換器１０を提供することができる。
【００６２】
また、熱交換器１０では、軸芯部材１６がケース１４と別体で形成されているため、軸芯部材１６をケース１４によって位置決めされないようにし易くすることができる。
【００６３】
また、熱交換器１０では、軸芯部材１６と発熱体１２の内周面との間の隙間がコイルバネ１８によって埋められ、軸芯部材１６は、コイルバネ１８によって発熱体１２に対して位置決めされる。これにより、コイルバネ１８の力を利用して軸芯部材１６を保持することが可能となり、軸芯部材１６を円筒状の発熱体１２の中空部１２ａの中央に配置しやすくすることができると同時に軸芯部材１６と発熱体１２の内周面の隙間を埋めることができる。
【００６４】
また、熱交換器１０では、コイルバネ１８が、軸芯部材１６の一端に設けられた係合部１６ｂと係合することにより、内側流路３２を流れる水による軸芯部材１６の移動を抑制する。これにより、軸芯部材１６の一端が、ケース１４から離れて配置されている場合にも、水圧によって軸芯部材１６が移動し、内側流路３２に隙間ができてしまうことを抑制することができる。
【００６５】
また、熱交換器１０では、コイルバネ１８の一端１８ａが、内周方向に延出し、コイルバネ１８の他端１８ｂが、外周方向に延出している。これにより、発熱体１２に水を流すための通水部材２の発熱体１２への接続と、コイルバネ１８を発熱体１２に組み立てる際のコイルバネ１８の保持と、を両立させることができる。
【００６６】
図７は、第１の実施形態に係る瞬間式熱交換器の変形例を模式的に表す断面図である。  なお、上記実施形態と機能・構成上実質的に同じものについては、同符号を付し、詳細な説明は省略する。  
図７に表したように、この熱交換器１０ａでは、ケース１４が、軸芯部材１６の一端と当接することにより、内側流路３２を流れる水による軸芯部材１６の移動を抑制する当接部２２ａを有している。より詳しくは、ケース１４の蓋部２２が、当接部２２ａを有している。
【００６７】
これにより、この熱交換器１０ａにおいても、上記実施形態の熱交換器１０と同様に、水圧によって軸芯部材１６が移動し、内側流路３２に隙間ができてしまうことを抑制することができる。
【００６８】
なお、上記各実施形態では、コイルバネ１８によって軸芯部材１６を発熱体１２に対して位置決めしている。軸芯部材１６を発熱体１２に対して位置決めする方法は、上記に限定されるものではない。例えば、軸芯部材１６とは別体のゴム製部材などにより、軸芯部材１６を発熱体１２に保持してもよい。あるいは、軸芯部材１６の一部に弾性変形部を設け、その弾性変形部を使って軸芯部材１６を発熱体１２に保持してもよい。すなわち、軸芯部材１６と一体又は別体に設けられた可撓性部材など、ケース１４とは別体の可撓性部材などによって軸芯部材１６を発熱体１２に保持してもよい。
【００６９】
（第２の実施形態）  
図８は、第２の実施形態に係るトイレ装置を模式的に表す斜視図である。  
図９は、第２の実施形態に係る衛生洗浄装置を模式的に表すブロック図である。  
以下では、上述した実施形態に係る熱交換器を備える衛生洗浄装置の一例について、図８および図９を用いて説明する。  
図８に表したように、本実施形態に係る衛生洗浄装置２００は、トイレ装置３００において、洋式腰掛便器３０１の上に設置された状態で設けられる。
【００７０】
衛生洗浄装置２００は、本体部２０１に対して開閉自在に軸支された便座２０２及び便蓋２０３と、ノズル２０４と、を備える。ノズル２０４は、トイレ装置３００の使用者によるスイッチ操作等に応じて、本体部２０１から洋式腰掛便器３０１のボウル内に対して進退可能に設けられる。衛生洗浄装置２００は、ノズル２０４を洋式腰掛便器３０１のボウル内に伸び出した状態で、ノズル２０４の先端部に設けられる吐水口から洗浄水を噴射する。ノズル２０４から噴射された洗浄水は、人体の局部を洗浄する。
【００７１】
図９に示すように、衛生洗浄装置２００は、水道や貯水タンクなどの給水源２０５から給水される水を、バルブユニット２０６を介して熱交換器１０（又は熱交換器１０ａ）に供給する。そして、熱交換器１０において、供給された水が温められた温水とされ、洗浄水としてノズル２０４に供給される。バルブユニット２０６は、止水弁としての機能を有する電磁開閉弁や調圧弁等の弁機構を有する。
【００７２】
以上のように、本実施形態に係る衛生洗浄装置２００は、熱交換器１０を備え、熱交換器１０により生成した温水を洗浄水とし、この洗浄水をノズル２０４から吐出することで、人体の局部を洗浄する。このように、本実施形態に係る熱交換器１０を備える衛生洗浄装置２００によれば、使用者にとって適切な温度に制御された温水による洗浄を安定して行えることができる。そして、衛生洗浄装置２００によれば、円筒状の発熱体１２の中空部１２ａに軸芯部材１６を配置して内側流路３２を形成する場合にも、内側流路３２に隙間が発生することを抑制し、熱交換率の高い衛生洗浄装置２００を提供することができる。
【００７３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、熱交換器１０、１０ａ及び衛生洗浄装置２００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７４】
２ 通水部材、  １０ 瞬間式熱交換器、  １０ａ 熱交換器、  １２ 発熱体、  １２ａ 中空部、  １２ｂ 外周面、  １２ｃ 内周面、  １２ｄ 給電端子、  １４ ケース、  １６ 軸芯部材、  １６ａ 突出部、  １６ｂ 係合部、  １６ｃ 傾斜面、  １８ コイルバネ、  １８ａ 一端、  １８ｂ 他端、  ２０ ケース本体、  ２０ａ 中空部、  ２０ｂ 突出部、  ２０ｃ 通水口、  ２２ 蓋部、  ２２ａ 当接部、  ２４ コイルバネ、  ３０ 外側流路、  ３２ 内側流路、  ２００ 衛生洗浄装置、  ２０１ 本体部、  ２０２ 便座、  ２０３ 便蓋、  ２０４ ノズル、  ２０５ 給水源、  ２０６ バルブユニット、  ３００ トイレ装置、  ３０１ 洋式腰掛便器
【図１】
2020118349.tif 000003
【図２】
2020118349.tif 000004
【図３】
2020118349.tif 000005
【図４】
2020118349.tif 000006
【図５】
2020118349.tif 000007
【図６】
2020118349.tif 000008
【図７】
2020118349.tif 000009
【図８】
2020118349.tif 000010
【図９】
2020118349.tif 000011